(57)【要約】      （修正有）【課題】装飾具本体を被装飾体に簡単に取り付け、取り外しできる構造を採用した装飾具を提供する。【解決手段】球体に形成された本体部１１と、本体部１１から突出する突出部１２と、突出部１２に設けられ取付対象物に着脱自在に取り付けるための針金状着脱部材１３と、を設ける。針金状着脱部材１３は、人手により変形可能とし、かつその変形状態を維持できるように構成する。使用に当っては、針金状着脱部材をフック状に折り曲げて取付対象物に引っ掛け、或いは針金状着脱部材を取付対象物に巻き付けるだけで、簡単に取り付けることができる。また、取付対象物から取り外す際には、針金状着脱部材のフック状に折り曲げられた部分を枝から外し、又は枝等に巻き付けられている部分を巻き付け方向と逆方向に回して巻き付けを解くだけで、簡単に取り外すことができる。従って、取り付け及び取り外しの手間を大幅に省くことができる。【選択図】図１
0003148055.tif 000002
【実用新案登録請求の範囲】
【請求項１】
球体に形成された本体部と、前記本体部から突出する突出部と、前記突出部に設けられ取付対象物に着脱自在に取り付けるための針金状着脱部材と、を備え、
前記針金状着脱部材は、変形自在で、且つその変形状態を維持する装飾具。
【請求項２】
前記針金状着脱部材は、前記突出部に設けられた貫通孔に挿通され前記突出部に巻き付けられて固定されている固定部分と、前記固定部分から自由端まで延伸する非固定部分とを含む請求項１に記載の装飾具。
【請求項３】
前記針金状着脱部材の前記非固定部分は、前記取付対象物に巻き付けられて、その巻き付け状態を維持できる請求項２に記載の装飾具。
【請求項４】
前記針金状着脱部材の前記非固定部分は、前記本体部の保管時に前記突出部に巻き付けられて、その巻き付け状態を維持できる請求項２または３に記載の装飾具。
【考案の詳細な説明】
【技術分野】
【０００１】
本発明は、装飾具に関し、特に装飾具本体を被装飾体に簡単に着脱できる装飾具に関する。
【背景技術】
【０００２】
従来、例えば店舗，壁，クリスマスツリー等に飾る装飾品や、インテリアとして飾られる装飾品等が知られている。これらの装飾品は、加工性や美観性からガラス製やプラスチック製のものが多い。
【０００３】
また、これらの装飾品は用途毎に様々な形状のものがある。例えば、クリスマスツリーに飾る装飾具の中には、球体状の装飾具がある。図６は、従来の装飾具１０１の外観を示す。この装飾具１０１は、球体の本体部１０２と、本体部１０２から突出する突出部１０３とを有している。
【０００４】
突出部１０３には、紐（ワイヤー等）１０７を通すための貫通孔１０４が設けられている。この貫通孔１０４に紐１０７を通し、この紐１０７によってクリスマスツリーに取り付ける。
【考案の開示】
【考案が解決しようとする課題】
【０００５】
しかしながら、従来の装飾具１０１は、クリスマスツリー等に取り付ける際に、紐１０７をクリスマスツリーの枝等に結び付け、取り外す際には紐１０７の結び目を解くなどの面倒な作業が必要になるので、取り付け及び取り外しに手間がかかるという問題があった。
【０００６】
本考案は、このような問題に鑑みなされたもので、被装飾体に簡単に取り付け及び取り外すことができ、これにより手間を省くことができる装飾具を提供することを課題とする。
【課題を解決するための手段】
【０００７】
上記課題を達成するため、本考案は、以下の手段を採用した。
すなわち、本考案は、球体に形成された本体部と、前記本体部から突出する突出部と、前記突出部に設けられ取付対象物に着脱自在に取り付けるための針金状着脱部材と、を備え、前記針金状着脱部材は、変形自在で、且つその変形状態を維持する。
【０００８】
針金状着脱部材は、人手によって変形できるのが望ましい。本考案によれば、針金状着脱部材をフック状に折り曲げて取付対象物に引っ掛け、或いは針金状着脱部材を取付対象物に巻き付けるだけで、簡単に取り付けることができる。また、取付対象物から取り外す際には、針金状着脱部材のフック状に折り曲げられた部分を枝から外し、又は枝等に巻き付けられている部分を巻き付け方向と逆方向に回して巻き付けを解くだけで、簡単に取り外すことができる。従って、取り付け及び取り外しの手間を大幅に省くことができる。
【０００９】
ここで、前記針金状着脱部材は、前記突出部に設けられた貫通孔に挿通され前記突出部に巻き付けられて固定されている固定部分と、前記固定部分から自由端まで延伸する非固定部分とを含む構成にできる。この構成によれば、針金状着脱部材を突出部に簡単に固定できる。
【００１０】
また、前記針金状着脱部材の前記非固定部分は、前記取付対象物に巻き付けられて、その巻き付け状態を維持できる構成にできる。この構成によれば、装飾具をより確実に取付対象物に取り付けることができる。
【００１１】
また、前記針金状着脱部材の前記非固定部分は、前記本体部の保管時に前記突出部に巻き付けられて、その巻き付け状態を維持できる構成にできる。この構成によれば、装飾具を保管する場合に針金状着脱部材が邪魔にならず、また、保管スペースを小さくできる。
【考案の効果】
【００１２】
本考案によれば、取付対象物に簡単に取り付け及び取り外すことができる装飾具の提供が可能になる。
【考案を実施するための最良の形態】
【００１３】
以下、本考案に係る装飾具の実施の形態について説明する。なお、本実施形態の装飾具は、熱可塑性のプラスチック（例えば、ポリスチレン等）を材料としている。また、本実施形態の装飾具は、ブロー成形により形成される。このブロー成形は既知の成形方法であるため説明を省略する。
【００１４】
図１は、本実施形態の装飾具１の斜視図を示す。この装飾具１は、球体に形成された本体部１１と、本体部１１から延出した突出部１２と、突出部１２に着脱自在に設けられた針金状着脱部材１３とを備えている。
【００１５】
本体部１１は、装飾具１自体の軽量化を図るため内部には空洞が形成されている。また、本体部１１の表面は塗装されている。尚、塗装の色は特に限定しない。突出部１２は円柱状に形成されている。この突出部１２は、本体部１１の表面から外方に向けて略垂直に延出している。本体部１１と突出部１２とは一体成形されている。
【００１６】
また、突出部１２には、図２に示すように、その直径部分を貫通する貫通孔１４が設けられている。この貫通孔１４は、ブロー成形を行う際に、金型の中にあらかじめピンをセットしておくことにより形成する。ピンをセットした金型の中で、ポリスチレンで形成されたパリソン内に空気を吹き込む。そして袋状（バブル状）になったパリソンを金型の内壁に密着させる。
【００１７】
貫通孔１４には、図３に示すように、クリスマスツリーや壁等の取付対象物に装飾具１を取り付けるための針金状着脱部材１３が挿通される。この針金状着脱部材１３は、人の手で自由に変形でき、且つその変形状態を維持できる材料、例えば鉄、銅、真鍮などの金属によって形成されている。
【００１８】
この針金状着脱部材１３を突出部１２に取り付けるときは、まず、針金状着脱部材１３を突出部１２の貫通孔１４内に挿入し、突出部１２の両側に適宜な長さだけ延伸させる。これにより、取付対象物に引っ掛け或いは巻き付けることができる非固定部分１３ａと、装飾具１の突出部１２に固定する固定部分１３ｂとを設ける。
【００１９】
次に、図１に示すように、非固定部分１３ａと固定部分１３ｂとを突出部１２の側面で互いに絡み付かせる。次に、固定部分１３ｂを突出部１２に巻き付けることにより固定する。固定部分１３ｂの巻き付け状態は、ある程度強い力がかからない限り維持される。非固定部分１３ａは、そのままフリー状態にする。
【００２０】
装飾具１を保管する場合は、図４に示すように、非固定部分１３ａを突出部１２に巻き付けて収納することができる。この巻き付け状態は、非固定部分１３ａにある程度強い力
がかかるまで維持される。これにより、針金状着脱部材１３が邪魔になることなく装飾具１を保管でき、また保管スペースを小さくできる。
【００２１】
装飾具１をクリスマスツリー等に取り付ける場合は、図５に示すように、針金状着脱部材１３の非固定部分１３ａをフック状に折り曲げて、クリスマスツリーの枝に引っ掛けることにより、簡単に取り付けることができる。また、図５中に二点差線で示すように、クリスマスツリーの枝の外周が非固定部分１３ａの長さより短い場合には、非固定部分１３ａを枝に巻き付けることにより簡単に取り付けることができる。非固定部分１３ａのフック状の折り曲げ状態、及び枝に対する巻き付け状態は、ある程度強い力がかからない限り維持される。
【００２２】
装飾具１をクリスマスツリーから取り外す場合は、非固定部分１３ａのフック状の折り曲げ部分を枝から外し、又は非固定部分１３ａを巻き付け方向と反対方向に回して巻き付けを解くことにより、簡単に取り外すことができる。
【００２３】
本考案によれば、球状の本体部１１から突出する突出部１２に、変形自在、且つその変形状態を維持できる針金状着脱部材１３を着脱自在に取り付けたので、針金状着脱部材１３の非固定部分１３ａを手で変形させるだけで、取付対象物に簡単に取り付け及び取り外すことができる。従って、従来のように本体部１１を紐でクリスマスツリー等に取り付ける場合に比べて、取り付け及び取り外し作業の手間を大幅に省くことができる。
【００２４】
なお、本考案は、本体部１１が多面体（ミラーボール状）、提灯のような蛇腹状、その他各種の形態である場合にも適用できる。また、本考案の装飾具は、上述の例に限定されるものではなく、本考案の要旨を逸脱しない範囲内において種々変更を加えることができる。
【図面の簡単な説明】
【００２５】
【図１】本願の実施形態に係る装飾具を示す斜視図である。
【図２】本願の実施形態に係る突出部及び針金状着脱部を示す図であり、図１のＡ矢視図である。
【図３】本願の実施形態に係る針金状着脱部材を突出部に取り付ける方法を説明する図であり、図１のＢ−Ｂ断面図である。
【図４】本願の実施形態に係る保管時における針金状着脱部材の収納状態を示す図である。
【図５】本願の実施形態に係る装飾具をクリスマスツリー等に取り付ける方法を説明する図である。
【図６】従来例に係る装飾具を示す図である。
【符号の説明】
【００２６】
１  装飾具
１１  本体部
１２  突出部
１３  針金状着脱部材
１３ａ  非固定部分
１３ｂ  固定部分
１４  貫通孔
１０１  装飾具
１０２  本体部
１０３  取付部
１０４  貫通孔
１０７  紐
【図１】
0003148055.tif 000003
【図２】
0003148055.tif 000004
【図３】
0003148055.tif 000005
【図４】
0003148055.tif 000006
【図５】
0003148055.tif 000007
【図６】
0003148055.tif 000008